(57)【特許請求の範囲】
【請求項１】
警報音を発生させる警報音発生回路を備えるとともに、その警報音発生回路を作動させるスイッチ部を備えた回路基盤を、板紙製のケーシングおよびポリウレタンフォーム製の間仕切からなる回路基盤保持枠に、前記スイッチ部およびスピーカー部が解放状態となるように取り付け固定して、紙製の袋体に封入してあり、
前記袋体の外側の印刷面に、前記スイッチ部をオンオフ操作可能にするオンオフ操作面を、形成するとともに、そのオンオフ操作面に警報音の内容を示す表示部を設け、
前記袋体に前記回路基盤を封入した状態で、前記スイッチ部をオンオフ操作可能にかつ警報音を発信可能に構成してある警報音試聴装置。
【請求項２】
前記警報音発生回路を複数種の警報音を発生可能に設けるとともに、複数のスイッチ部を設けてある請求項１に記載の警報音試聴装置。
【請求項３】
スイッチ部にオンオフスイッチを設けるとともに、オンオフスイッチにより発生させられる警報音を、複数種に切り替える切り替えスイッチを設けた請求項１または２に記載の警報音試聴装置。
【発明の詳細な説明】
【０００１】
【発明の属する技術分野】
本発明は、ガス漏れ警報装置等の警報音発生装置から発生される警報音を試聴するための警報音試聴装置に関する。
【０００２】
【従来の技術】
従来知られている警報音発生装置は、何らかの緊急を要する事態（たとえばガス漏れ等）を検知する検知部を備え、その検知部が前記事態を検知して発生させる電気信号に基づき、警報音を発生させる警報音発生回路を備え、緊急時にのみ警報音を発生させ誤報を回避すべく製造されている場合が多い。
そのため、このような警報音発生装置の警報音は、前記事態を再現せねば知ることが出来ず、このような前記事態の再現（たとえば、ガス漏れ警報装置を警報発生対象のガス中に晒すなど）は、通常きわめて困難であるため、警報音発生装置の使用者が、警報音を予め知ることは難しい。そのため、前記警報音発生装置の販売員が、その警報音発生装置の購入予定者から、その警報音がどのようなものか問い合わせられた場合には、その警報音の再現が困難で、前記購入予定者の購入意欲をそぐ結果となる場合が多かった。
そこで、このような状況に対処すべく、警報音発生装置の検知部を取り除き、スイッチ部を取り付けるなどして、前記警報音発生装置の警報音を試聴可能に構成して、警報音試聴装置を構成し、店頭等でその警報音発生装置から発生する警報音を試聴可能にすることが試みられている。
【０００３】
【発明が解決しようとする課題】
ところが、上述の警報音試聴装置は、警報音発生装置そのものを利用して構成してあるために、一般に嵩高くなり、持ち運ぶのに不便を来すものとなり易かった。そのため、前記警報音発生装置の販売員が、いつでもどこでも誰にでも警報音の試聴をさせることができる状況にはなりにくかった。また、持ち運びの利便性は度外視したとしても、警報音発生装置そのものを利用して構成してあると、前記警報音発生装置と同様の使用環境でしか警報音を試聴できない場合が多く、試聴する環境が限られてしまい、手軽には利用することが出来ないものとならざるを得ない。
【０００４】
従って、本発明の目的は、上記欠点に鑑み、警報音を手軽に試聴することが出来る警報音試聴装置を提供することにある。
【０００５】
【課題を解決するための手段】
この目的を達成するための本発明の警報音試聴装置の特徴構成は、図面を参酌して説明すると、
警報音を発生させる警報音発生回路１３を備えるとともに、その警報音発生回路１３を作動させるスイッチ部１１を備えた回路基盤１を、板紙製のケーシング３１およびポリウレタンフォーム製の間仕切３２からなる回路基盤保持枠３３に、前記スイッチ部１１およびスピーカー部１２が解放状態となるように取り付け固定して、紙製の袋体２に封入してあり、
前記袋体２の外側の印刷面２３に、前記スイッチ部１１をオンオフ操作可能にするオンオフ操作面２１を形成するとともに、そのオンオフ操作面２１に警報音の内容を示す表示部２２を設け、
前記袋体２に前記回路基盤１を封入した状態で、前記スイッチ部１１をオンオフ操作可能にかつ警報音を発信可能に構成してある点にあり、
前記警報音発生回路１３を複数種の警報音を発生可能に設けるとともに、複数のスイッチ部１１を設けてあってもよく、
スイッチ部１１にオンオフスイッチ１１ａを設けるとともに、オンオフスイッチ１１ａにより発生させられる警報音を、複数種に切り替える切り替えスイッチ１１ｂを設けてあっても良い。
【０００６】
尚、図面は単に参酌のみに利用したものであって、本発明は図面に限定されるものではない。
【０００７】
〔作用効果〕
つまり、警報音を発生させる警報音発生回路を備えるとともに、その警報音発生回路を作動させるスイッチ部を備えた回路基盤を、袋体に封入してあるから、前記袋体には警報音を発生させる上で必要最小限度の部材のみを封入した状態を実現することが出来、通常の警報音発生装置よりもきわめてコンパクトに構成することが出来る。また、袋体は可撓性を有するものであるから前記スイッチ部を、前記袋体の外方側から操作することが出来、前記回路基盤に警報音を発生させることが出来る。
【０００８】
また、前記袋体の外側に印刷面を設けるとともに、その袋体に前記回路基盤を封入した状態で、前記袋体の外方から、前記スイッチ部をオンオフ操作可能にするオンオフ操作面を形成してあると、前記スイッチ部を前記オンオフ操作面により安定操作することができる。また、そのオンオフ操作面に、警報音の内容を表示する表示部を設けてあると、前記回路基盤のスイッチ部の位置とそのスイッチ部の機能とを対応づけて知ることが出来、そのスイッチ部を確実操作することが容易になり、容易にオンオフ操作するのに役立つ。
【０００９】
そのため、コンパクトでかつ取り扱い容易な警報音試聴装置を提供することが出来、警報音発生装置の使用者あるいは使用予定者に簡単に警報音を試聴させることが出来、使用者が、警報音を周知することで、警報音の発生した場合に、その警報内容に素早く対処できるようになったり、使用予定者が、複数の警報発生装置の中から、警報音の嗜好に基づき商品を購入するなどの商品の差別化が可能になったり、商品の販売員が、容易に商品説明を行えるようになったことで商品の販売促進に生かすことが出来るようになったりして、前記警報音発生装置の普及に役立てることが出来るようになった。
また、前記印刷面のうち、前記表示部を形成した部分以外は、他の種々の情報を印刷することの出来る状態にあるから、その警報音試聴装置の発生する警報音と、対応する警報音を発生する警報音発生装置の外観等を印刷しておくことで、前記警報音試聴装置と、警報音発生装置との対応付けを行ったり、対応する警報音発生装置の機能説明や取扱説明を印刷しておくことで、警報音発生装置の説明も出来るので、商品説明の円滑化等による販売促進等にも役立てられる。
【００１０】
尚、対応する警報音発生装置としては、複数種の警報音を発するものがあり、前記警報音発生回路を複数種の警報音を発生可能に設けるとともに、複数のスイッチ部を設けてあれば、そのような警報音発生装置に対応することができ、またさらに、一つの警報音試聴装置で、複数種の警報音発生装置の警報音を再現することが可能になる。また、このように対応を密にすると、次第にスイッチ部の数を増やさねばならず、スイッチ部と、警報音との対照が困難になることが考えられるのであるが、前記スイッチ部にオンオフスイッチを設けるとともに、オンオフスイッチにより発生させられる警報音を、複数種に切り替える切り替えスイッチを設けて構成することにより、スイッチ部の対照が容易になるとともに取り扱い容易になる。
【００１１】
【発明の実施の形態】
以下に本発明の警報音試聴装置の実施の形態を図面に基づいて説明する。
【００１２】
図１から３に示すように、本発明の警報音試聴装置は、スイッチ部１１を備えた回路基盤１を、紙製の袋体２に封入して構成してあり、その袋体に前記回路基盤１を封入した状態で、前記袋体２の外方から、前記スイッチ部１１をオンオフ操作可能にするオンオフ操作面２１を形成し、そのオンオフ操作面２１に、警報音の内容を表示する表示部２２を設けてある。
【００１３】
図２に示すように、前記回路基盤１は、スピーカー部１２を備え、種々の警報音を発生させる警報音発生回路１３を備えるとともに、その警報音発生回路１３を作動させるスイッチ部１１を備えて構成してある。
この回路基盤１は板紙製のケーシング３１およびポリウレタンフォーム製の間仕切３２からなる、回路基盤保持枠３に取り付け固定してあり、前記ケーシング３１に前記回路基盤１を取り付けた状態で、前記スイッチ部１１およびスピーカー部１２を解放状態にする開口部３３を備え、前記スイッチ部１１を外方から操作可能にかつ警報音を発信可能に構成してある。
図３に示すように、前記回路基盤保持枠３は、前記回路基盤１とともに紙製の袋体２に密に収容して、前記袋体２の外方から、前記スイッチ部１１を前記オンオフ操作面２１から操作可能にしてある。また、前記袋体２の外面は印刷面としてあり、前記オンオフ操作面２１に、警報音の内容を表示する表示部２２を設け、かつ、図１中２３で示される印刷面部分には、警報音発生装置の商品説明が印刷してある。
【００１４】
尚、図１に示す警報音試聴装置の場合には、対応する警報音発生装置が、設定条件あるいは警報内容によって４種の警報音を発生する場合があるため、前記スイッチ部は警報内容に対応するオンオフスイッチ１１ａのほか、警報音の設定条件に対応する切り替えスイッチ１１ｂを設け、スイッチの切り替えにより４種の音声を適宜区別して発生させられる構成にしてある。
【００１５】
尚、本発明にいう警報音とは、ベル音、ブザー音、電子音等の単純な音のみならず人声で警報内容を告げる音声であっても良い。
【図面の簡単な説明】
【図１】警報音試聴装置の平面図
【図２】回路基盤の概略図
【図３】警報音試聴装置の分解斜視図
【符号の説明】
１    回路基盤
２    袋体
１１  スイッチ部
１３  警報音発生回路
２１  オンオフ操作面
２２  表示部
【図１】
0003547289.tif 000002
【図２】
0003547289.tif 000003
【図３】
0003547289.tif 000004